(57)【要約】【課題】  高速でパチンコ玉等を払い出すことのできる玉切り装置を提供すること。【解決手段】  遊技玉を上から供給し、下から取り出す容器と、前記容器内に鉛直方向に配設され、回転駆動されるスクリュー体と、前記容器の底部に配設され、複数の玉収納部を備えたローターと、前記ローターを回転駆動するモータと、前記ローターの下に配置され取り出し口と、前記取り出し口の近傍に配置された遊技玉センサーとから成るので、高速でパチンコ玉等を払い出すことができる。【選択図】  図１
2005304660.tif 000002
【特許請求の範囲】
【請求項１】
遊技玉を上から供給し、下から取り出す容器と、
前記容器内に鉛直方向に配設され、回転駆動されるスクリュー体と、
前記容器の底部に配設され、複数の玉収納部を備えたローターと、
前記ローターを回転駆動するモータと、
前記ローターの下に配置され取り出し口と、
前記取り出し口の近傍に配置された遊技玉センサーとから成ることを特徴とする玉切り装置。
【請求項２】
前記取り出し口は、複数個設置されたことを特徴とする請求項１に記載の玉切り装置。
【請求項３】
前記取り出し口は、対向した一直線上から前記複数の玉収納部の配置角度θの１／２だけ変位した位置に設置されたことを特徴とする請求項２に記載の玉切り装置。
【請求項４】
前記スクリュー体とローターは、互いに同一方向に回転することを特徴とする請求項１〜３のいずれか１項に記載の玉切り装置。
【発明の詳細な説明】
【技術分野】
【０００１】
本発明は、パチンコ玉等を正確に計数して、高速で払い出すことのできる玉切り装置に関するものである。
【背景技術】
【０００２】
従来より、パロット、スロット、アレンジボール、パチンコ機等のパチンコ玉を使用する遊技機において、パチンコ玉を計数して払い出すことのできる玉切り装置が種々提案されている。
例えば、特開平８‐３０９０１２号公報には、誘導路で導かれるパチンコ玉を、パチンコ玉の玉切り位置を異にし、同じ回転数をなす回転軸に多数取り付けられた玉切回転体を用いて計数する装置が開示されている。
また、特開平１０‐３１４４３９号公報には、投入口と玉切り盤との間に磁気センサーを設け、この磁気センサーでパチンコ玉の存在を確認したときのみ、玉切り盤を駆動する構成により、パチンコ玉払い出し機の誤計算を防止する装置が開示されている。
【特許文献１】特開平８‐３０９０１２号公報
【特許文献２】特開平１０‐３１４４３９号公報
【発明の開示】
【発明が解決しようとする課題】
【０００３】
以上のように構成された従来の玉切り装置は、単位時間当たりに払い出すパチンコ玉の数が限られており、例えば、７００個／分程度が限度であり２０００個／分のパチンコ玉を払い出すことは極めて困難であった。また、従来の構成で短時間に大量のパチンコ玉を払い出すためには、玉切り盤の数を数枚構成にする必要があった。しかし、玉切り盤の構成数を増すことは、設置スペースが大きくなると云う欠点が存在した。
【０００４】
この発明は上記に鑑み提案されたもので、高速でパチンコ玉等を払い出すことのできる玉切り装置を提供することを目的とする。
【課題を解決するための手段】
【０００５】
上目的を達成する為に、本発明の玉切り装置は、遊技玉を上から供給し、下から取り出す容器と、前記容器内に鉛直方向に配設され、回転駆動されるスクリュー体と、前記容器の底部に配設され、複数の玉収納部を備えたローターと、前記ローターを回転駆動するモータと、前記ローターの下に配置され取り出し口と、前記取り出し口の近傍に配置された遊技玉センサーとから成ることを特徴としている。
【０００６】
また、請求項２に記載の発明において、前記取り出し口は、複数個設置されたことを特徴とする。
【０００７】
また、請求項３に記載の発明において、前記取り出し口は、対向した一直線上から前記複数の玉収納部の配置角度θの１／２だけ変位した位置に設置されたことを特徴とする。
【０００８】
また、請求項４に記載の発明において、前記スクリュー体とローターは、互いに同一方向に回転することを特徴とする。
【発明の効果】
【０００９】
この発明は上記した構成からなるので、以下に説明するような効果を奏することができる。
【００１０】
請求項１に記載の発明では、遊技玉を上から供給し、下から取り出す容器と、前記容器内に鉛直方向に配設され、回転駆動されるスクリュー体と、前記容器の底部に配設され、複数の玉収納部を備えたローターと、前記ローターを回転駆動するモータと、前記ローターの下に配置され取り出し口と、前記取り出し口の近傍に配置された遊技玉センサーとから成るので、多数の遊技玉を短時間で正確に排出することができる。
【００１１】
請求項２に記載の発明では、前記取り出し口は、複数個設置されたので、多数の遊技玉を短時間で正確に排出することができる。
【００１２】
請求項３に記載の発明では、前記取り出し口は、対向した一直線上から前記複数の玉収納部の配置角度θの１／２だけ変位した位置に設置されたので、奇数、偶数に限定されることなく、多数の遊技玉を短時間で正確に排出することができる。
【００１３】
請求項４に記載の発明では、前記スクリュー体とローターは、互いに同一方向に回転するので、容器内において遊技玉が架橋現象やジャムを起こすことなく円滑に正確に排出することができる。
【発明を実施するための最良の形態】
【００１４】
高速でパチンコ玉等を払い出するという目的を容器内に鉛直方向に配設されたスクリュー体と容器の底部に配設され複数の玉収納部を備えたローターによって実現した。
【実施例１】
【００１５】
以下、本発明の一実施例について説明する。図１は、本発明に係る玉切り装置の一例を示す全体斜視図、図２は本発明の玉切り装置の一例を示す正面図、図３は、本発明の玉切り装置の一例を示す側面図、図４は本発明の玉切り装置の一例を示す平面図である。本実施例において、玉切り装置１０は、遊技玉１１を上から供給し、下から取り出す容器１２と、前記容器１２内に鉛直方向に配設され、回転駆動されるスクリュー体１３と、前記容器１２の底部に配設され、複数の玉収納部１４を備えたローター１５と、前記ローター１５を回転駆動するモータ１６と、前記ローター１５の下に配置され取り出し口１７と、前記取り出し口１７の近傍に配置された遊技玉センサー１８とを備えている。
【００１６】
容器１２は、上面に設置されたギアボックス１９と、側面カバー２０と下面カバー２１とから構成されている。ギアボックス１９内には、スクリュー体１２を回転駆動するための大歯車２２と小歯車２３が配置されている。大歯車２２は、スクリュー体１３の軸１３ａの上端に固定されている。小歯車２３は、大歯車２２と噛合するとともに、モータ１６に駆動されるリンクシャフト２４に固定されている。リンクシャフト２４は、側面カバー２０の内部に形成された挿通孔２５内に回転自在に配置される。また、ギアボックス１９の上面には、ツマミ２６が取り付けられており、スクリュー体１３を手動で廻すこともできる。更に、ギアボックス１９の上面には、ツマミ２７が取り付けられており側面カバー２０の側面の一部に配置されたフラッパー２８を回動することができる。
【００１７】
容器１２は、上端の一部に遊技玉の投入口１２ａを有しており、ここから遊技玉１１を供給する。また、容器１２の下端は、下面カバー２１に取り付けられている。下面カバー２１には、モータ１６が設置されるとともに、このモータ１６によって減速機構を介してローター１５が回動駆動される。減速機構は、小歯車２９、小歯車３０，大歯車３１とから構成され、小歯車２９がモータ１６の回転軸に固定されるとともに、大歯車３１がローター１５に固定されている。したがって、モータ１６の回転が減速された後、ローター１５が回転駆動される。また、小歯車３０の軸心には、前述したリンクシャフト２４の下端が固定されており、モータ１６によってリンクシャフト２４も回転駆動される。
【００１８】
ローター１５は、図７に示す様に等間隔に玉収納部１４が形成されている。本実施例では、玉収納部１４は、全部で８個設けられており、θ＝４５度の間隔に配置されている。玉収納部１４は、遊技玉１１が１個づつ収納される寸法に形成されており、破線Ａ、Ｂで示す位置に取り出し口１７、１７が配置されている。したがって、ローター１５が矢印Ｒ方向に回転する時、それぞれＡ、Ｂ位置で遊技玉１１が取り出し口１７から自重によって落下する。Ａ、Ｂの位置は、１８０度の位置から、α度だけ偏位している。ここで、α＝θ÷２であり、θ＝３６０÷玉収納部の数（Ｎ）である。ＡとＢの位置が同時に、ローター１５の玉収納部１４と一致することはない。このため、奇数個の遊技玉であっても、正確に排出することができる。なお、Ｎが奇数の場合は、Ａ、Ｂの位置は、一直線上にあってもよい。
【００１９】
遊技玉センサー１８は、取り出し口１７の直下に配置されており、センサーカバー１８ａによって覆われている。遊技玉センサー１８は、遊技玉１１の通過を検出するもので、非接触の静電容量式や他の光学式センサーを使用することができる。
【００２０】
以上のように構成した玉切り装置１０の使用態様について説明する。先ず、投入口１２ａから遊技玉１１が投入され、容器１２内に収納される。制御信号に従って、モータ１６が回転するとローター１５が回転し、Ａ或いはＢ位置にある遊技玉１１が取り出し口１７から順次落下する。落下した遊技玉は、取り出し口の周囲に設置された遊技玉センサー１８によって計数される。遊技玉センサー１８によって計数された数値が、所定値に達するとモータ１６の回転が停止される。また、モータ１６が回転することにより、リンクシャフト２４を介して、小歯車２３、大歯車２２が回転し、スクリュー体１３もローター１５と同一方向に回転する。本実施例において、スクリュー体１３は、ローター１５より遅く回転する。スクリュー体１３が回転することにより、遊技玉１１が容器１２内で架橋現象を起こしたり、詰まったりすることがない。
【００２１】
本発明では、スクリュー体１３とローター１５により遊技玉１１を高速でしかも正確に排出することができる。例えば、２０００個／分程度の排出が可能である。
【００２２】
なお、以上の実施例では、ローターに８個の玉収納部１４を設ける例について説明したが、これに限ることなく他の個数であっても同様の効果を得ることができる。
【図面の簡単な説明】
【００２３】
【図１】図１は、本発明に係る玉切り装置の一例を示す全体斜視図である。
【図２】図２は、同玉切り装置の一例を示す正面図である。
【図３】図３は、同玉切り装置の一例を示す側面図である。
【図４】図４は、同玉切り装置の一例を示す平面図である。
【図５】図５は、同玉切り装置の一例を示す分解斜視図である。
【図６】図６は、同玉切り装置の一例を示す要部断面斜視図である。
【図７】図７は、同玉切り装置に使用するローターの動作を示す説明図である。
【符号の説明】
【００２４】
１０      玉切り装置
１１      遊技玉
１２      容器
１２ａ    投入口
１３      スクリュー体
１３ａ    軸
１４      玉収納部
１５      ローター
１６      モータ
１７      取り出し口
１８      遊技玉センサー
１９      ギアボックス
２０      側面カバー
２１      下面カバー
２２      大歯車
２３      小歯車
２４      リンクシャフト
２５      挿通孔
２６、２７  ツマミ
２８      フラッパー
２９、３０  小歯車
３１      大歯車
【図１】
2005304660.tif 000003
【図２】
2005304660.tif 000004
【図３】
2005304660.tif 000005
【図４】
2005304660.tif 000006
【図５】
2005304660.tif 000007
【図６】
2005304660.tif 000008
【図７】
2005304660.tif 000009